(57)【特許請求の範囲】
【請求項１】
各自無線装置を具える複数のネットワークノードを具え、前記ネットワークノードの内の１つが少なくとも１つの秘密ネットワークノードと他の全てのネットワークノードとの間でデータを転送するように設計された転送ネットワークノードを形成する、ワイヤレスネットワークにおいて、前記ネットワークノードの内の１つが無線トラヒックを制御する中央ネットワークノードを形成し、前記中央ネットワークノードが各無線装置において使用されるフレームを形成するためのフレーム同期データを送信するように設計され、前記転送ネットワークノードが中央ネットワークノードと秘密ネットワークノードとの間で所定のデータを交換するように設計され、且つ中央ネットワークノードが転送ネットワークノードと秘密ネットワークノードとの間のデータの交換のためにフレーム内に位置するサブフレームを割り当てるように設計されている、ワイヤレスネットワーク。
【請求項２】
中央ネットワークノードがフレーム同期データをフレームの第１フェーズ中に送信し、制御データをフレームの第２フェーズ中に送信するように設計され、且つ転送ネットワークノードが中央ネットワークノードから受信されたフレーム同期データをサブフレームの第１フェーズ中に送信し、中央ネットワークノードから受信された所定の制御データをサブフレームの第２フェーズ中に送信するように設計されている、請求項１記載のワイヤレスネットワーク。
【請求項３】
ネットワークノードの無線装置はＭＡＣ（媒体アクセス制御）ステージに割り当てられたフレームを形成するよう設計されている、請求項１記載のワイヤレスネットワーク。
【請求項４】
中央ネットワークノードがペイロードデータをフレームの第３フェーズ中に少なくとも１つの他のネットワークノードに送信するよう設計され、転送ネットワークノードがフレームの第４及び／又は第５フェーズ中に秘密ネットワークノードとデータを交換するように設計され、且つ他のネットワークノードがサブフレームにより占有されていないフレームの第４フェーズ中に互いにペイロードデータを交換するように設計され、且つ少なくとも１つの他のネットワークノードがサブフレームにより占有されてない第５フェーズ中にペイロードデータを中央ネットワークノードへ送信するように設計されている、請求項２記載のワイヤレスネットワーク。
【請求項５】
秘密ネットワークノードをワイヤレスネットワーク内に組み込む前に、秘密ネットワークノードが秘密ネットワークノードの組込み要求に関するメッセージを受信するように設計されている、請求項２記載のワイヤレスネットワーク。
【請求項６】
秘密ネットワークノードがワイヤレスネットワーク内に組み込まれた後に、転送ネットワークノードがペイロードデータをサブフレームの第３フェーズ中に送信するとともに秘密ネットワークノードの制御及び／又はペイロードデータをサブフレームの第４フェーズ中に受信するように設計されている、請求項２記載のワイヤレスネットワーク。
【請求項７】
各自無線装置を具える複数のネットワークノードの間でデータをワイヤレス伝送する方法であって、前記ネットワークノードの内の１つは、少なくとも１つの秘密ネットワークノードと他の全てのネットワークノードとの間でデータを転送する転送ネットワークノードを形成し、中央ネットワークノードとして機能する前記ネットワークノードの内の１つは、無線トラヒックを制御し、各無線装置において使用されるフレームを形成するためのフレーム同期データを送信し、前記転送ネットワークノードは、前記中央ネットワークノードと前記秘密ネットワークノードとの間で所定のデータを交換し、前記中央ネットワークノードは、前記転送ネットワークノードと前記秘密ネットワークノードとの間のデータの交換のためにフレーム内にサブフレームを割り当てる、ワイヤレス伝送方法。
【請求項８】
各自無線装置を具える複数のネットワークノードを具えるワイヤレスネットワークにおいて中央ネットワークノードとして機能するネットワークノードであって、無線トラヒックを制御し、各無線装置において使用されるフレームを形成するためのフレーム同期データを送信するように設計され、且つ転送ネットワークノードと秘密ネットワークノードとの間でサブフレームデータを交換するためにフレーム内にサブフレームを割り当てるように設計され、前記秘密ネットワークノードは当該中央ネットワークノードが直接的にはアクセス可能でないノードであり、前記転送ネットワークノードは、当該中央ネットワークノードが直接的にアクセス可能なノードであって前記秘密ネットワークノードと他の全てのネットワークノードとの間でデータを伝送するノードである、ネットワークノード。
【請求項９】
各自無線装置を具える複数のネットワークノードを具えるワイヤレスネットワークにおいて、少なくとも１つの秘密ネットワークノードと他の全てのネットワークノードとの間でデータを伝送するように設計されたネットワークノードであって、前記秘密ネットワークノードと中央ネットワークノードとの間で所定のデータを交換する転送ネットワークノードとして設計され、該中央ネットワークノードは、前記ワイヤレスネットワークの無線トラヒックを制御し各無線装置で使用されるフレームを形成するためのフレーム同期データを送信し、当該転送ネットワークノードは、前記中央ネットワークノードにより割り当てられたフレーム内に位置するサブフレームの期間中に前記秘密ネットワークノードとデータを交換するよう設計されている、ネットワークノード。
【発明の詳細な説明】
【０００１】
【発明の属する技術分野】
本発明は、各自無線装置を具える数個のネットワークノードを具え、前記ネットワークノードの内の１つが少なくとも１つの秘密ネットワークノードと他の全てのネットワークノードとの間でデータを転送するように設計された転送ネットワークノードを構成するワイヤレスネットワークに関するものである。
【０００２】
【従来技術】
このようなワイヤレスネットワークは論文「Code-Name Bluethooth」Wolfgang Shulte著、Funkschau 23、1998、pp.80-81、から既知である。このワイヤレスネットワークはそれぞれ数個のネットワークノードを具える数個のピコネットワークからなる。ピコネットワーク内のノードの1つがマスタ機能を有する。ピコネットワーク内の他の全てのノードはスレーブ機能を有する。このようなピコネットワーク内のスレーブ機能を有するノードの1つが別のピコネットワークのノードとデータを交換するよう作用する。
【０００３】
【発明が解決しようとする課題】
本発明の目的は、データを数個の直接アクセスし得るネットワークノードから、全てのネットワークノードにアクセスし得ないネットワークノードに異なる方法で伝送するワイヤレスネットワークを提供することにある。
【０００４】
【課題を解決するための手段】
この目的を達成するために、本発明は頭書に記載した種類のワイヤレスネットワークにおいて、
前記ネットワークノードの内の１つが無線トラヒックを制御する中央ネットワークノードを構成し、
該中央ネットワークノードが各無線装置で使用されるフレーム形成のためのフレーム同期データを送信するように設計され、
前記転送ネットワークノードが中央ネットワークノードと秘密ネットワークノードとの間で所定のデータを交換するように設計され、且つ
前記中央ネットワークノードが転送ネットワークノードと秘密ネットワークノードとの間のデータの交換のためにフレーム内に位置するサブフレームを割り当てるように設計されていることを特徴とする。
【０００５】
「ワイヤレス伝送」とは、無線伝送、赤外線伝送、又は超音波伝送等を意味する。ワイヤレスネットワーク内の転送ネットワークノードはワイヤレスネットワーク内の無線トラヒックを制御するよう設計された中央ネットワークノードから到来するデータを秘密ネットワークノードに供給することができる。転送ネットワークノードは中央ネットワークノードの機能を秘密ネットワークノードに対しエミュレートする。これは、ＭＡＣステージ（ＭＡＣ＝Medium Access Control：媒体アクセス制御）においてサブフレーム（ＭＡＣフレーム内に位置する）を割り当てることにより達成される。データ伝送はネットワークノードの無線装置においてＭＡＣフレーム及びＭＡＣフレーム内に位置するサブフレームに基づいて編成される。
【０００６】
フレームの第１フェーズにおいて、中央ネットワークノードがフレーム同期データを送信し、フレームの第２フェーズにおいて制御データを送信する。本発明によれば、転送ネットワークノードが中央ネットワークノードから受信されたフレーム同期データをサブフレームの第１フェーズにおいて送信するとともに、中央ネットワークノードから受信された所定の制御データをサブフレームの第２フェーズにおいて送信することにより、これらのデータを秘密ネットワークノードに転送することができる。
【０００７】
請求項４、５、及び６はフレーム及びサブフレームの他のフェーズに関連する。サブフレームは秘密ネットワークノードがワイヤレスネットワークに組み込まれる前は初期サブフレームといい、組み込まれた後はオペレーショナルサブフレームという。
【０００８】
請求項７は各自無線装置を具える数個のネットワークノードの間でデータを伝送する本発明の方法に関連し、請求項８は中央ネットワークノードというネットワークノードに関連し、請求項９は転送ネットワークノードというネットワークノードに関連する。
【０００９】
【実施例】
図1は数個のネットワークノード１−４を具えるワイヤレスネットワークを示す。ノード１−４は無線リンクを介してデータを交換する。ノード１はワイヤレスネットワーク内の基地局の機能を有し、中央ネットワークノードと称され、ワイヤレスネットワーク内の無線トラヒックを制御する。ノード２−４はノーマルネットワークノードと称され、相互に及び中央ネットワークノードとデータを交換する。中央ネットワークノード１が他のノード２−４とデータを交換し得る範囲が図１に楕円５で示されている。
【００１０】
ネットワークノード１−４は他のネットワークノードへの無線接続及びできれば他の動作装置への無線接続も設定する無線装置を少なくとも具える。このような装置は、例えばビデオコーデック、ビデオレコーダ、モニタ、チューナ，ＣＤプレーヤ等とすることができる。それ自体既知の無線装置はインタフェース回路、プロトコル装置、モデム、高周波数回路及びアンテナを具える。インタフェース回路は、できればフォーマットの適合化後に、ネットワークノード１−４のプロトコル装置と他の装置との間でデータを交換する。高周波数回路はアンテナから受信されたデータをモデムを経てプロトコル装置に伝送する。更に、アンテナはプロトコル装置から発しモデム及び高周波数回路を経て到来するデータを送信する。
【００１１】
プロトコル装置（例えばプロセッサシステムとして構成される）はインタフェース回路により供給されるデータからパケットユニット形成し、またモデムにより供給されるパケットユニットからインタフェース回路により処理し得るデータを形成する。１つのパケットは受信データのみならずプロトコル装置により生成された追加の制御情報も含む。プロトコル装置はＬＬＣステージ（ＬＬＣ＝logical Link Control：論理リンク制御）及びＭＡＣステージ（ＭＡＣ＝Medium Access Control：媒体アクセス制御）に対するプロトコルを使用する。ＭＡＣステージは無線伝送媒体への無線装置のマルチアクセスを制御し、ＬＬＣステージはトラヒックフロー及びエラーチェックを実行する。
【００１２】
図１のワイヤレスネットワークでは、データをネットワークノード１−４の間で、ＴＤＭ、ＦＤＭＡ又はＣＤＭＡ法（ＴＤＭＡ=Time Division Multiplex Access：時分割多重アクセス、ＦＤＭＡ＝Frequency Division Multiplex Access：周波数分割多重アクセス、ＣＤＭＡ＝Code Division Multiplex Access：符号分割多重アクセス）に従って交換することができる。これらの方法を組み合わせることもできる。データは所定の割当てチャネルで伝送される。チャネルは周波数レンジ、時間、及び、例えばＣＤＭＡ法の場合には、拡散符号によって決定される。
【００１３】
データ伝送はネットワークノード１-４のＭＡＣステージにおいてフレームに編成される。このフレームは無線同期データ、制御データ及びペイロードデータ用の数個のタイムスロットを具え、ＭＡＣフレームと呼ばれている。図１に示す中央制御ワイヤレスネットワークでは、中央ネットワークノード１が無線同期を管理するとともに、ノーマルネットワークノード２-４のためのＭＡＣフレームにおけるタイムスロットのダイナミックな割当ても管理する。図２はこのようなＭＡＣフレームを示す。各ＭＡＣフレームはその先頭にフレーム同期フェーズ又はプレアンブルＭＳを有し、このフェーズ中にフレーム同期データが中央ネットワークノード１により発生される。フレーム同期フェーズ又はプレアンブルの後にダウンリンク制御フェーズＤＬＣＰが続き、このフェーズ中に制御データが中央ネットワークノード１によりノーマルネットワークノード２-４に送出され、次にダウンリンクユーザフェーズＤＬＵＰが続き、このフェーズ中にペイロードデータが中央ネットワークノード１によりノーマルネットワークノード２-４に送出される。ダウンリンクユーザフェーズＤＬＵＰの後にダイレクトモードフェーズＤＭＰが続き、このフェーズ中にノーマルネットワークノード２-４が制御及びペイロードデータを互いに交換する。最終フェーズのアップリンクフェーズＵＰＰにおいて、ノーマルネットワークノード２-４が制御及びペイロードデータを専用チャネル又はランダムアクセスチャネルを経て中央ネットワークノードに送出する。
【００１４】
ＭＳ、ＤＬＣＰ、ＤＬＵＰ、ＤＭＰ及びＵＰＰの各フェーズは１〜数個のタイムスロット（チャネル）を具える。フェーズの長さ及びタイムスロットの長さは固定又は可変としてプログラムすることができる。後者の場合には、中央ネットワークノード１がフェーズ及びタイムスロットの長さをワイヤレスネットワークの関連する要件に基づいて決定する。
【００１５】
専用チャネルは２つのネットワークノード間のポイント・ツー・ポイントリンクである。ランダムアクセスチャネルはノーマルネットワークノード２-４がそれぞれのデータを伝送する１〜数個のタイムスロットにより形成することができる。この場合には、中央ネットワークノード１はランダムアクセスチャネルへのノーマルネットワークノード２-４のアクセス瞬時を決定しない。ランダムアクセスチャネルは、例えば登録要求に対しノーマルネットワークノード２-４が使用することができる。
【００１６】
ＤＬＣＰフェーズにおいて、中央ネットワークノード１がメッセージを全てのノーマルネットワークノード２-４に送ることができる。このメッセージは、ノーマルネットワークノード２-４がＤＭＰ及び／又はＵＰＰフェーズにおいてそれらのデータを伝送するのにどのタイムスロットを使用することができるかを指示する。中央ネットワークノード１は、ＤＬＣＰフェーズ中に、更に、ＤＬＵＰフェーズにおいて中央ネットワークノード１からのペイロードデータを受信するのにどのタイムスロットを使用するか及び／又はＤＭＰフェーズにおいて他のノーマルネットワークノード２−４からの制御及びペイロードデータを受信するのにどのタイプスロットを使用するかをノーマルネットワークノード２−４に知らせるメッセージを全てのノーマルネットワークノード２−４に送ることもできる。更に、中央ネットワークノード１はＤＬＣＰフェーズを用いてランダムアクセスチャネルＲＡＣＨの位置をノーマルネットワークノード２−４に知らせる。上述したように、ランダムアクセスチャネルＲＡＣＨは一般にネットワーク内の新しいノーマルネットワークノードを登録するのに使用される。登録後に、ノーマルネットワークノードはＵＰＰフェーズを用いてメッセージによって中央ネットワークノード１に１〜数個のタイムスロットを要求することができる。このとき、このノーマルネットワークノードが伝送したいデータの量を示すメッセージも中央ネットワークノードに送られる。
【００１７】
図１に示すワイヤレスネットワークでは、全てのノーマルネットワークノード２−４が中央ネットワークノード１からの制御及びペイロードデータを受信することができる。図３は中央ネットワークノード１及びノーマルネットワークノード２−４のみならず、秘密ネットワークノードというネットワークノード７も具える他のワイヤレスネットワークを示す。ネットワークノード７は１つのノーマルネットワークノード（即ち図３のノード３）とのみデータを交換し、中央ネットワークノード１とはデータを交換し得ないため、秘密ネットワークノードという。これを図３ではネットワークノード３と７を囲む他の楕円８により表わしている。
【００１８】
ノーマルネットワークノード３は中央ネットワークノード１及びノーマルネットワークノード２−４からのデータを秘密ネットワークノード７に伝送するとともに秘密ネットワークノード７からのデータを中央ネットワークノード１及び他の全てのノーマルネットワークノード２−４に伝送する機能を有する。秘密ネットワークノード（例えばノード７）とデータを交換するこのようなノーマルネットワークノード３は秘密ネットワークノードからすると中央ネットワークノードをエミュレートしているものとみなせる。
【００１９】
中央ネットワークノード１と直接無線コンタクトし得ない秘密ネットワークノード７を組み込むために、特別のサブフレームをＭＡＣフレーム内に所定の期間に亘って設ける。組込み前のこのサブフレームは初期サブフレームという。初期サブフレームのアクティブ期間中に、中央ネットワークノード１によりフレーム同期データ及びある制御データが選択されたネットワークノード３を経て秘密ネットワークノード７に供給される。この初期サブフレームはＤＭＰ及び／又はＵＰＰフェーズ中に中央ネットワークノードによりダイナミックに決定される。図４はＭＡＣフレーム及び初期サブフレームを示す。初期サブフレームはフレーム同期フェーズｉＭＳ、ダウンリンク制御フェーズｉＤＬＣＰ及びアップリンクフェーズｉＵＰＰからなる。ｉＭＳフェーズ中に、フレーム同期データが特別のノード（例えばネットワークノード３）によりリピートされ、中央ネットワークノードのある制御データがｉＤＬＣＰフェーズ中に通過する。ｉＵＰＰフェーズはランダムアクセスチャネルｉＲＡＣＨのみを具え、このフェーズにおいて、まだ組み込まれてない秘密ネットワークノード（例えばノード７）が組込み要求をワイヤレスネットワークに伝送することができる。
【００２０】
秘密ネットワークノード７により出された組込み要求は初期サブフレームのｉＵＰＰフェーズ中に選択されたネットワークノード３によりメッセージとして受信される。選択されたネットワークノード３は組込み要求を有するこのメッセージを初期サブフレームの一部を構成しないＭＡＣフレームの次のＵＰＰフェーズ中に中央ネットワークノード１に伝送する。中央ネットワークノード１が秘密ネットワークノード７の組込み要求を認める場合、次のサブフレームの開始位置が決定される。この、次のサブフレーム、即ち組込み後のサブフレームはオペレーショナルサブフレームという。ＭＡＣフレームに対するこの開始位置は、秘密ネットワークノード７がワイヤレスネットワークから出る瞬時まで、後続の全てのオペレーショナルサブフレームに対し常に同一の位置を有する。オペレーショナルサブフレームの長さは可変であり、伝送すべきデータの量に基づいて中央ネットワークノード１により決定される。秘密ネットワークノード７により選択されたノーマルネットワークノード３は第１オペレーショナルサブフレームの開始時に転送ノードになる。
【００２１】
オペレーショナルサブフレームはフレーム同期フェーズｏＭＳ及びダウンリンク制御フェーズｏＤＬＣＰを具える（図５）。更に、オペレーショナルサブフレームはダウンリンクユーザフェーズｏＤＬＵＰ及びアップリンクフェーズｏＵＰＰも具えることができる。転送ネットワークノード３は中央ネットワークノード１から受信されるフレーム同期データをｏＭＳフェーズ中に連続的にリピートするとともに、秘密ネットワークノード７に関連する中央ネットワークノード１の全ての制御データをオペレーショナルサブフレームのｏＤＬＣＰフェーズ中に連続的にリピートする。例えば、中央ネットワークノード１により送られた秘密ネットワークノード７に対するタイムスロットの割当てに関するメッセージがｏＤＬＣＰフェーズ中に転送ネットワークノード３に対する制御データとしてリピートされる。
【００２２】
秘密ネットワークノード７はｏＵＰＰフェーズ中にランダムアクセスチャネルｏＲＡＣＨを使用して、ワイヤレスネットワークにおいて専用チャネルを介するポイント・ツー・ポイント（又はユニキャスト）接続又はマルチキャスト接続を申請することができる。秘密ネットワークノード７から他の任意のネットワークノード１-４への専用チャネルを介するポイント・ツー・ポイント接続は秘密ネットワークノード７の専用アップリンクチャネルと呼び、略してアップリンクチャネルｏＵＤＣＨと記す。アップリンクチャネルｏＵＤＣＨは、ランダムアクセスチャネルｏＲＡＣＨと同様に、オペレーショナルサブフレームのｏＵＰＰフェーズの一部分を構成する。中央ネットワークノード１はこのようなアップリンクチャネルｏＵＤＣＨの割当てに関するメッセージを有する制御データをＭＡＣフレームのＤＬＣＰフェーズ中に送信する。転送ネットワークノード３はこれらの制御データをオペレーショナルサブフレームのｏＤＬＣＰフェーズ中に秘密ネットワークノード７に転送する。しかし、中央ネットワークノード１はオペレーショナルサブフレーム内のｏＵＤＣＨ（アップリンク専用チャネル）に対し１〜数タイムスロットを割り当てる必要があるのみならず、ＭＡＣフレームのＤＭＰフェーズ及び／又はＵＰＰフェーズにおいて対応するタイムスロットを割り当てループ必要がある。オペレーショナルサブフレーム外に位置するこれらの対応するタイムスロットは秘密ネットワークノード７からのデータを転送ノード３を経て１〜数個の他のノード１−４に伝送するために転送ノード３により必要とされる。これらのタイムスロットはオペレーショナルサブフレームのアップリンクｏＵＤＣＨと同類のアップリンクチャネルＵＤＣＨというチャネルに属する。
【００２３】
ペイロードデータをノーマルネットワークノード２−４及び／又は中央ネットワークノード１から秘密ネットワークノード７へ送る必要がある場合には、中央ネットワークノード１がオペレーショナルサブフレームのｏＤＬＵＰフェーズにおいて専用ダウンリンクチャネルｏＤＤＣＨを割り当てる必要がある。このダウンリンクチャネルｏＤＤＣＨが転送ノード３から秘密ネットワークノード７へのペイロードデータの伝送に使用される。また、１〜数個のネットワークノード１、２及び４と転送ノード３と間の接続のために、対応するダウンリンクチャネルが中央ネットワークノード１によりオペレーショナルサブフレーム外のＭＡＣフレーム内のＤＭＰ又はＵＰＰフェーズにおいて割り当てられる。
【００２４】
中央ネットワークノード１により割り当てられるオペレーショナルサブフレーム内のタイムスロットの一例を図６に示す。２つのタイムスロットｏＳ１及びｏＳ２が中央ネットワークノード１によりオペレーショナルサブフレームのｏＤＬＵＰフェーズ内のダウンリンクチャネルｏＤＤＣＨとして割り当てられている。対応するタイムスロット又はダウンリンクチャネルＳ１及びＳ２がＤＬＵＰ及びＤＭＰフェーズに存在する。例えばノーマルネットワークノード（例えばノード２）からのペイロードデータはタイムスロットＳ１又はＳ２で転送ノード３に伝送され、そこからタイムスロットｏＳ１又はｏＳ２で秘密ネットワークノード７に伝送される。
【００２５】
逆の伝送方向に対しては、２つのタイムスロットｏＳ３及びｏＳ４が中央ネットワークノード１によりオペレーショナルサブフレーム内のアップリンクチャネルｏＵＤＣＨとして割り当てられる。対応するタイムスロットＳ３及びＳ４がオペレーショナルサブフレーム外のＭＡＣフレームのＤＭＰ及びＵＰＰフェーズ内にアップリンクチャネルＵＤＣＨとして含まれる。秘密ネットワークノード７がデータをタイムスロットｏＳ３又はｏＳ４で転送ネットワークノード３に伝送し、転送ネットワークノード３がこれらのデータをタイムスロットＳ３又はＳ４中に、例えばノーマルネットワークノードに転送する。
【００２６】
転送ノード３と秘密ネットワークノード７との間でデータを交換することができる点に注意されたい。この場合にはＭＡＣフレーム内のタイムスロットの割当ては必要がなく、オペレーショナルサブフレーム内のタイムスロットの割当てだけで十分である。
【図面の簡単な説明】
【図１】  数個のネットワークノードを有するワイヤレスネットワークを示す。
【図２】  図１のワイヤレスネットワークに使用されるＭＡＣフレームを示す。
【図３】  数個のネットワークノードを有し、素の内の１つが秘密ネットワークノードを構成するワイヤレスネットワークを示す。
【図４】  図３のワイヤレスネットワークに使用される、初期化サブフレームを含むＭＡＣフレームを示す。
【図５】  図３のワイヤレスネットワークに使用される、オペレーショナルサブフレームを含むＭＡＣフレームを示す。
【図６】  オペレーショナルサブフレームに割り当てられるタイムスロットの一例を示す。
【符号の説明】
１  中央ネットワークノード
２、３、４  ノーマルネットワークノード
３  転送ネットワークノード
７  秘密ネットワークノード
ＭＳ，ＤＬＣＰ，ＤＬＵＰ，ＤＭＰ，ＵＰＰ  ＭＡＣフレーム
ＭＳ  フレーム同期フェーズ
ＤＬＣＰ  ダウンリンク制御フェーズ
ＤＬＵＰ  ダウンリンクユーザフェーズ
ＤＭＰ  ダイレクトモードフェーズ
ＵＰＰ  アップリンクフェーズ
ｉＭＳ，ｉＤＬＣＰ，ｉＵＰＰ  初期サブフレーム
ｏＭＳ，ｏＤＬＣＰ，ｏＤＬＵＰ，ｏＵＰＰ  オペレーショナルサブフレーム
【図１】
0004571271.tif 000002
【図２】
0004571271.tif 000003
【図３】
0004571271.tif 000004
【図４】
0004571271.tif 000005
【図５】
0004571271.tif 000006
【図６】
0004571271.tif 000007